(57)【要約】【課題】リンや硫化水素を除去する機能に優れた水質浄化材を提供する。【解決手段】水質浄化材１００は、土材１１、マグネシウム固化材１２、団粒化剤１３、バチルス属の微生物１４及びリモナイト１５の混合物１０を形成した後、１２時間〜２４時間程度、静置することによって形成される。団粒化剤１３として、アクリル酸・メタクリル酸ジメチルアミノエチル共重合物のマグネシウム塩とポリエチレンイミンとの複合体を含む高分子化合物を使用することができ、バチルス属の微生物１４として、バチルスサブチルスの一種である納豆菌を含有するものを使用することができ、リモナイト１５として、熊本県の阿蘇地方において産出されたものを使用することができる。【選択図】図１
2014136197.tif 000002
【特許請求の範囲】
【請求項１】
土材、マグネシウム固化材、団粒化剤、バチルス属の微生物及びリモナイトの混合物を固化させて形成したことを特徴とする水質浄化材。
【請求項２】
前記バチルス属の微生物として、バチルススパリカス、バチルスサブチルス、バチルスツリュゲナイセスのうちの１以上を用いた請求項１記載の水質浄化材。
【請求項３】
前記団粒化剤として、アクリル酸・メタクリル酸ジメチルアミノエチル共重合物のマグネシウム塩とポリエチレンイミンとの複合体を含む高分子化合物を用いた請求項１または２記載の水質浄化材。
【発明の詳細な説明】
【技術分野】
【０００１】
本発明は、浄化対象である被処理水に浸漬したり、被処理水を透過させたりすることにより、被処理水を清浄化する機能を有する水質浄化材に関する。
【背景技術】
【０００２】
水質浄化技術については、従来、多種多様な提案がなされているが、本願発明に関連するものとして、例えば、特許文献１記載の水質浄化体あるいは特許文献２記載の水質浄化用ろ過材などがある。
【０００３】
特許文献１記載の水質浄化体（以下、水質浄化材という。）は、土材、セメント系固化剤、多孔質粉状体であるシラス、団粒化剤及び水質浄化作用を有する微生物を含む混合物を球形状に成形して固化させたものである。
【０００４】
特許文献２記載の水質浄化用ろ過材（以下、水質浄化材という。）は、超微粒子加工によりパウダー化されるとともに多孔性をなす鉱物粉末の孔内にバチルス属の微生物を付着繁殖させ、この鉱物粉末を透水性の基材に均一に固着することによって形成したものである。
【先行技術文献】
【特許文献】
【０００５】
【特許文献１】特開２００９−２５４９７５号公報
【特許文献２】特開２００８−２９６１１８号公報
【発明の概要】
【発明が解決しようとする課題】
【０００６】
特許文献１，２記載の水質浄化材は、微生物による水質浄化作用及び多孔構造による吸着除去作用によって水質浄化するものであるため、水中に含まれるリンや硫化水素などを除去する機能が不足する面がある。
【０００７】
そこで、本発明が解決しようとする課題は、リンや硫化水素を除去する機能に優れた水質浄化材を提供することにある。
【課題を解決するための手段】
【０００８】
本発明の水質浄化材は、土材、マグネシウム固化材、団粒化剤、バチルス属の微生物及びリモナイトの混合物を固化させて形成したことを特徴とする。ここで、リモナイトとは、熊本県の阿蘇地方などにおいて、鉄を含んだ鉱物の風化生成物として産出される、暗褐色または黒色の団塊状、土状の物質であり、褐鉄鉱とも呼ばれる。化学組成はＦｅＯ（ＯＨ）・ｎＨ2Ｏであるが、赤鉄鉱（Ｆｅ2Ｏ3）や粘土鉱物、酸化マンガン（II）などを不純物として含む。
【０００９】
また、前記バチルス属の微生物として、バチルススパリカス、バチルスサブチルス、バチルスツリュゲナイセスのうちの１以上を用いることが望ましい。
【００１０】
また、前記団粒化剤として、アクリル酸・メタクリル酸ジメチルアミノエチル共重合物のマグネシウム塩とポリエチレンイミンとの複合体を含む高分子化合物を用いることが望ましい。
【発明の効果】
【００１１】
本発明により、リンや硫化水素を除去する機能に優れた水質浄化材を提供することができる。
【図面の簡単な説明】
【００１２】
【図１】本発明の実施形態である水質浄化材の製造工程を示す図である。
【図２】水質浄化材の使用例を示す図である。
【図３】水質浄化材のその他の使用例を示す図である。
【発明を実施するための形態】
【００１３】
図１に示すように、本実施形態の水質浄化材１００は、土材１１、マグネシウム固化材１２、団粒化剤１３、バチルス属の微生物１４及びリモナイト１５の混合物１０を固化させて形成したものである。土材１１、マグネシウム固化材１２、団粒化剤１３、バチルス属の微生物１４及びリモナイト１５の混合比率は以下の通りである。なお、これらの混合比率は使用条件に応じて変更することができる。
【００１４】
土材１０                  １立方メートル
マグネシウム固化材        ４０ｋｇ〜６０ｋｇ
団粒化剤１３              ２Ｌ〜４Ｌ
バチルス属の微生物１４    １０ｋｇ〜３０ｋｇ
リモナイト１５            １８０ｋｇ〜１０００ｋｇ
【００１５】
本実施形態では、団粒化剤１３として、アクリル酸・メタクリル酸ジメチルアミノエチル共重合物のマグネシウム塩とポリエチレンイミンとの複合体を含む高分子化合物の一つである、有限会社グローバル研究所の商品名「ＧＢ−２０００」を使用しているが、これに限定するものではない。
【００１６】
また、バチルス属の微生物１４として、バチルスサブチルスの一種である納豆菌を含有する、株式会社ビッグバイオの商品名「ＢＢ菌」を使用しているが、これに限定するものではない。
【００１７】
さらに、リモナイト１５として、熊本県の阿蘇地方（例えば、第一阿蘇鉱山）において産出されたものを使用しているが、これに限定するものではない。
【００１８】
図１に示すように、土材１１、マグネシウム固化材１２、団粒化剤１３、微生物１４及びリモナイト１５の混合物１０を形成した後、１２時間〜２４時間程度、静置すると、土状、顆粒状あるいは団粒状をした水質浄化材１００を得ることができる。
【００１９】
水質浄化材１００の使い方は限定しないので、使用状況に応じた使い方をすることができるが、例えば、図２，図３に示すような使い方をすることができる。
【００２０】
図２に示す使用例においては、浄化対象である被処理水Ｗ１の水面の上方に水質浄化材１００の層状体１００Ｒが略水平に配置され、被処理水Ｗ１を汲み上げて層状体１００Ｒの上面に散布するためのポンプＰ及び配管１０１が設けられている。層状体１００Ｒは、所定間隔に配置された平面状若しくは平板状の透水性部材１０２の間に水質浄化材１００を挟持することによって形成されている。
【００２１】
ポンプＰを作動させることによって汲み上げた被処理水Ｗ１を層状体１００Ｒの上面に散布すると、散布された被処理水Ｗ１は層状体１００Ｒ内の水質浄化材１００に接触しながら透過していくことによって浄化され、層状体１００Ｒから落下する。このような過程を継続することにより、被処理水Ｗ１全体を浄化することができる。また、被処理水Ｗ１に含まれているリンや硫化水素を効率良く除去することができる。
【００２２】
次に、図３に示す使用例においては、透水性を有する袋体１０３に充填された水質浄化材１００が、処理対象である被処理水Ｗ２に浸漬されている。被処理水Ｗ２が袋体１０３内の水質浄化材１００に接触することによって徐々に浄化されていき、最終的には、被処理水Ｗ２全体を浄化することができる。また、被処理水Ｗ２に含まれているリンや硫化水素を効率良く除去することができる。なお、被処理水Ｗ２を流動させたり、撹拌したりすることによって浄化速度を増大させることができる。
【産業上の利用可能性】
【００２３】
本発明の水質浄化材は、河川、湖沼あるいは人工の貯水施設などの水質浄化手段として広く利用することができる。
【符号の説明】
【００２４】
１０  混合物
１１  土材
１２  マグネシウム固化材
１３  団粒化剤
１４  微生物
１５  リモナイト
１００  水質浄化材
１００Ｒ  層状体
１０１  配管
１０２  透水性部材
１０３  袋体
Ｐ  ポンプ
【図１】
2014136197.tif 000003
【図２】
2014136197.tif 000004
【図３】
2014136197.tif 000005